(57)【要約】【課題】濃度基準板の読み取り時に発生した異常データを適切に補正する画像読取装置、画像形成装置および画像読取方法を提供する。【解決手段】画像読取装置１０は、濃度基準板５０と、画像読取部２０と、記憶部４０と、制御部３０とを備える。画像読取部２０は、濃度基準板５０を用いて、複数の領域のそれぞれについて複数の色の濃度基準データを取得する。記憶部４０は、事前濃度基準データを記憶する。制御部３０は、複数の領域のうちの少なくとも１つの領域において、複数の色のうちの少なくとも１つの色の濃度基準データが異常データである場合、少なくとも１つの領域において複数の色のうちの濃度基準データが異常データではない色の事前濃度基準データと濃度基準データとの変化率を算出する。制御部３０は、少なくとも１つの領域における変化率と少なくとも１つの色の事前濃度基準データとに基づいて異常データを補正する。【選択図】図１
2014236229.tif 000002
【特許請求の範囲】
【請求項１】
濃度基準板と、
前記濃度基準板を用いて、複数の領域のそれぞれについて複数の色の濃度基準データを取得する画像読取部と、
前記複数の領域のそれぞれについての前記複数の色の事前濃度基準データを記憶する記憶部と、
制御部と
を備える、画像読取装置であって、
前記制御部は、
前記複数の領域のそれぞれにおいて、前記画像読取部によって取得された前記複数の色のそれぞれの前記濃度基準データが異常データであるか否かを判定し、
前記複数の領域のうちの少なくとも１つの領域において、前記複数の色のうちの少なくとも１つの色の前記濃度基準データが前記異常データである場合、前記少なくとも１つの領域において前記複数の色のうちの前記濃度基準データが前記異常データではない色の前記事前濃度基準データと前記濃度基準データとの変化率を算出し、
前記少なくとも１つの領域における前記変化率と前記少なくとも１つの色の前記事前濃度基準データとに基づいて前記異常データを補正する、画像読取装置。
【請求項２】
前記制御部は、前記少なくとも１つの色の前記濃度基準データが前記異常データであるか否かを判定する際に、前記濃度基準データと閾値とを比較する、請求項１に記載の画像読取装置。
【請求項３】
前記制御部は、前記少なくとも１つの色の前記濃度基準データが前記異常データである場合、前記異常データを前記少なくとも１つの色の前記事前濃度基準データで置換する、請求項１または請求項２に記載の画像読取装置。
【請求項４】
前記制御部は、前記少なくとも１つの領域において前記複数の色のすべての前記濃度基準データが前記異常データである場合、前記複数の色のそれぞれについて前記異常データを前記事前濃度基準データで置換する、請求項１から請求項３のいずれか１項に記載の画像読取装置。
【請求項５】
前記制御部は、前記濃度基準板を用いて新たに取得した新たな濃度基準データを、前記記憶部に記憶させる、請求項１から請求項４のいずれか１項に記載の画像読取装置。
【請求項６】
前記制御部は、前記少なくとも１つの色の前記濃度基準データの変化量に基づいて前記異常データを特定する、請求項１から請求項５のいずれか１項に記載の画像読取装置。
【請求項７】
前記制御部は、前記変化率を算出する際、前記複数の色のうちの前記濃度基準データが前記異常データではない複数の色の前記少なくとも１つの領域における前記濃度基準データの変化率の平均値を算出する、請求項１から請求項６のいずれか１項に記載の画像読取装置。
【請求項８】
前記制御部は、前記濃度基準データが前記異常データである場合、前記異常データの存在を示すデータを前記記憶部に記憶させる、請求項１から請求項７のいずれか１項に記載の画像読取装置。
【請求項９】
前記濃度基準板は白基準板である、請求項１から請求項８のいずれか１項に記載の画像読取装置。
【請求項１０】
請求項１から請求項９のいずれか１項に記載の画像読取装置と、
印刷部と
を備える、画像形成装置。
【請求項１１】
濃度基準板を用いて、複数の領域のそれぞれについて複数の色の濃度基準データを取得する工程と、
前記複数の領域のそれぞれにおいて取得された前記複数の色のそれぞれの前記濃度基準データが異常データであるか否かを判定する工程と、
前記複数の領域のうちの少なくとも１つの領域において、前記複数の色のうちの少なくとも１つ色の前記濃度基準データが前記異常データである場合、前記少なくとも１つの領域において前記複数の色のうちの前記濃度基準データが前記異常データではない色の事前濃度基準データと前記濃度基準データとの変化率を算出する工程と、
前記少なくとも１つの領域における前記変化率と前記少なくとも１つの色の前記事前濃度基準データとに基づいて前記異常データを補正する工程と
を包含する、画像読取方法。
【発明の詳細な説明】
【技術分野】
【０００１】
本発明は、画像読取装置、画像形成装置および画像読取方法に関する。
【背景技術】
【０００２】
画像読取装置は、光源から照射され、原稿において反射された光を光検出器で検出することによって原稿の画像を読み取る。このような画像読取装置は、スキャナーとしてだけでなく、複合機などの画像形成装置、複写機またはＦＡＸ装置の一部品としても用いられる。
【０００３】
画像読取装置が同一の原稿を読み取る場合でも、光検出器によって検出される光量は読み取り動作ごとに変動することがある。例えば、光検出器によって検出される光量は、周囲の状況、あるいは、光源、光学系および／または光検出器の変動に応じて変動してしまう。このため、画像読取装置は、一般に、濃度基準板を用いたシェーディング補正により、光量の変動を抑制している。
【０００４】
しかしながら、光源から光検出器までの光学経路が汚れていると、シェーディング補正を適切に行うことができない（例えば特許文献１参照）。特許文献１には、走査光学系が汚れている場合にデータを予備白基準データに補正する画像読取装置が記載されている。特許文献１に記載の画像読取装置は、走査光学系が汚れていない場合には読み出した白基準データを用いてシェーディング補正を行う一方で、走査光学系が紙粉等で汚れている場合には不揮発性メモリーに予め格納されている予備白基準データを用いてシェーディング補正を行う。
【先行技術文献】
【特許文献】
【０００５】
【特許文献１】特開２００４‐２６６５１２号公報
【発明の概要】
【発明が解決しようとする課題】
【０００６】
しかしながら、特許文献１の画像読取装置のように、走査光学系が汚れている場合、データを予備データに補正しても、異常データが適切に補正されないことがある。例えば、光検出器にて検出される光量の平均値が、周囲の状況、あるいは、光源、光学系および／または光検出器の経時変化に起因して低下する場合、データを予め格納されている予備白基準データに補正しても、補正された予備白基準データは実際の白基準データと大きく離れてしまい、シェーディング補正を適切にできない。また、光検出器が複数の色（例えば、赤、緑および青）の光の光量を検出する場合、予備データに補正した結果、カラーバランスが崩れてしてしまい、原稿とは異なる色味の画像が読み取られてしまうことがある。
【０００７】
本発明は上記課題を鑑みてなされたものであり、その目的は、濃度基準板の読み取り時に発生した異常データを適切に補正する画像読取装置、画像形成装置および画像読取方法を提供することにある。
【課題を解決するための手段】
【０００８】
本発明に係る画像読取装置は、濃度基準板と、画像読取部と、記憶部と、制御部とを備える。前記画像読取部は、前記濃度基準板を用いて、複数の領域のそれぞれについて複数の色の濃度基準データを取得する。前記記憶部は、前記複数の領域のそれぞれについての前記複数の色の事前濃度基準データを記憶する。前記制御部は、前記複数の領域のそれぞれにおいて、前記画像読取部によって取得された前記複数の色のそれぞれの前記濃度基準データが異常データであるか否かを判定する。前記制御部は、前記複数の領域のうちの少なくとも１つの領域において、前記複数の色のうちの少なくとも１つ色の前記濃度基準データが前記異常データである場合、前記少なくとも１つの領域において前記複数の色のうちの前記濃度基準データが前記異常データではない色の前記事前濃度基準データと前記濃度基準データとの変化率を算出する。前記制御部は、前記少なくとも１つの領域における前記変化率と前記少なくとも１つの色の前記事前濃度基準データとに基づいて前記異常データを補正する。
【０００９】
本発明に係る画像形成装置は、上記に記載の画像読取装置と、印刷部とを備える。
【００１０】
本発明に係る画像読取方法は、濃度基準板を用いて、複数の領域のそれぞれについて複数の色の濃度基準データを取得する工程と、前記複数の領域のそれぞれにおいて取得された前記複数の色のそれぞれの前記濃度基準データが異常データであるか否かを判定する工程と、前記複数の領域のうちの少なくとも１つの領域において、前記複数の色のうちの少なくとも１つ色の前記濃度基準データが前記異常データである場合、前記少なくとも１つの領域において前記複数の色のうちの前記濃度基準データが前記異常データではない色の事前濃度基準データと前記濃度基準データとの変化率を算出する工程と、前記少なくとも１つの領域における前記変化率と前記少なくとも１つの色の前記事前濃度基準データとに基づいて前記異常データを補正する工程とを包含する。
【発明の効果】
【００１１】
本発明によれば、濃度基準板の読み取り時に発生した異常データを適切に補正することができる。
【図面の簡単な説明】
【００１２】
【図１】本発明の実施形態に係る画像読取装置を示す模式図である。
【図２】本実施形態の画像読取方法における濃度基準データの設定の一例を示すフローチャートである。
【図３】（ａ）は、事前濃度基準データＲｉ、Ｇｉ、Ｂｉを示す模式図である。（ｂ）は、図２のステップ１００において取得された濃度基準データＲａ、Ｇａ、Ｂａを示す模式図である。（ｃ）は、補正後の濃度基準データＲｂ、ＧｂおよびＢｂを示す模式図である。
【図４】本発明の実施形態に係る画像読取装置の画像読取方法を示すフローチャートである。
【図５】（ａ）は、事前濃度基準データＲｉ、Ｇｉ、Ｂｉを示す模式図であり、（ｂ）は、図４のステップ２００において取得された濃度基準データＲａ、Ｇａ、Ｂａを示す模式図である。（ｃ）は、補正後の濃度基準データＲｃ、ＧｃおよびＢｃを示す模式図である。
【図６】本発明の実施形態に係る画像読取装置１０の画像読取方法を示すフローチャートである。
【図７】（ａ）は、事前濃度基準データＲｉ、Ｇｉ、Ｂｉを示す模式図である。（ｂ）は、図６のステップ３００において取得された濃度基準データＲａ、Ｇａ、Ｂａを示す模式図である。（ｃ）は、補正後の濃度基準データＲｄ、ＧｄおよびＢｄを示す模式図である。
【図８】本発明の実施形態に係る画像形成装置を示す模式図である。
【発明を実施するための形態】
【００１３】
以下、図面を参照して本発明に係る画像読取装置、画像形成装置および画像読取方法の実施形態を説明する。ただし、本発明は以下の実施形態に限定されない。
【００１４】
図１を参照して本発明による画像読取装置１０の実施形態を説明する。図１は、本発明の実施形態に係る画像読取装置１０を示す模式図である。
【００１５】
画像読取装置１０は、画像読取部２０と制御部３０と記憶部４０と濃度基準板５０とを備える。典型的には、画像読取装置１０は、原稿台１１をさらに備える。画像読取装置１０は、原稿台１１の上に載置された原稿Ｍを読み取って入力画像を得る。本実施形態において画像読取装置１０は、スキャナーであり、原稿Ｍは、紙である。原稿Ｍは、例えば、布や厚みのある立体物でもあり得る。
【００１６】
画像読取部２０は、光源２１と光学系２６と撮像部２７とを備える。画像読取部２０は、原稿台１１の下方に設けられている。光学系２６は、複数の反射ミラー（反射ミラー２４ａ、反射ミラー２４ｂおよび反射ミラー２４ｃ）とレンズ２５とを有している。光源２１と反射ミラー２４ａとは、第１キャリッジ２３ａに取り付けられている。第１キャリッジ２３ａには、スリット２２が設けられている。反射ミラー２４ｂと反射ミラー２４ｃとは、第２キャリッジ２３ｂに取り付けられている。
【００１７】
光源２１から出射され光は、光学系２６を経て撮像部２７に到達する。以下、光源２１から出射され光が撮像部２７に到達する過程を説明する。主走査方向に延びた光源２１は、原稿台１１を下方から照射する。なお、ここでは主走査方向は図１の奥行方向（図示せず）であり、副走査方向はＹ方向である。光源２１から出射された光は、原稿Ｍで反射して、スリット２２を通り反射ミラー２４ａに到達する。反射ミラー２４ａに到達した光は反射ミラー２４ａで反射し、反射ミラー２４ｂおよび反射ミラー２４ｃによって導かれ、レンズ２５を通り撮像部２７に到達する。
【００１８】
原稿Ｍをカラー画像で読み取る際、光源２１が白色光源である場合、撮像部２７に光が到達する前にカラーフィルター（図示せず）によって光が色分解（本実施形態において、Ｒｅｄ、ＧｒｅｅｎおよびＢｌｕｅの３色）された後に、撮像部２７に色分解された光が到達する。あるいは、それぞれが異なる複数の色を照射する複数の光源２１（本実施形態において、Ｒｅｄ、ＧｒｅｅｎおよびＢｌｕｅの３色の光源）である場合、撮像部２７には複数の色の光が到達する。
【００１９】
画像読取部２０が、原稿Ｍを読み取る場合は、第１キャリッジ２３ａは、発光している光源２１と共に副走査方向Ｙに移動する。第２キャリッジ２３ｂは、光源２１から撮像部２７までの光路長が一定になるように移動する。
【００２０】
撮像部２７は、例えば、ＣＣＤ（Ｃｈａｒａｇｅ  Ｃｏｕｐｌｅｄ  Ｄｅｖｉｃｅ）センサーである。撮像部２７は、撮像部２７に到達した光からアナログ電気信号を生成する。原稿Ｍをカラー画像で読み取る場合は、撮像部２７には複数の色（例えば、Ｒｅｄ、ＧｒｅｅｎおよびＢｌｕｅ）の光が到達し、複数の色のアナログ電気信号を生成する。その後、Ａ／Ｄ変換部（図示せず）において、アナログ信号は、デジタル信号に変換される。そしてデジタル信号は制御部３０へと入力される。
【００２１】
濃度基準板５０は、本実施形態において、白基準板である。濃度基準板５０は、主走査方向に延びている。画像読取部２０は、主走査方向に沿って配列された複数の領域を有しており、画像読取部２０は、複数の領域のそれぞれについて複数の色（本実施形態において、Ｒｅｄ、ＧｒｅｅｎおよびＢｌｕｅ）の濃度基準データを取得する。画像読取部２０が濃度基準板５０を読み取ることにより、主走査方向の画素領域の位置に対応した濃度基準データを取得する。濃度基準板５０が白基準板である場合、画像読取部２０は、白基準板を読み取ることにより白基準データを取得する。
【００２２】
制御部３０は、濃度基準データを基にしたシェーディング補正を行う。なお、シェーディング補正は、光源２１の光量が不均一であること、または撮像部２７の感度が不均一であることなどに起因する読取画像の劣化を防止するために、原稿Ｍを読み取った結果に対して行われる。シェーディング補正は、原稿Ｍの読取動作毎に行われる。
【００２３】
記憶部４０は、事前濃度基準データを記憶する。事前濃度基準データは、画像読取部２０によって取得される濃度基準データに対応しており、記憶部４０は、複数の領域のそれぞれについて複数の色のそれぞれの事前濃度基準データを記憶している。
【００２４】
制御部３０は、工場出荷前に、画像読取部２０が濃度基準板５０を読み取ることによって取得した事前濃度基準データを記憶部４０に記憶させる。あるいは、制御部３０は、画像読取部２０が濃度基準板５０を読み取る毎または一定期間毎に、画像読取部２０が濃度基準板５０を新たに読み取って新たに取得した濃度基準データを記憶部４０に記憶させる。
【００２５】
例えば濃度基準板５０に傷等が存在する場合、傷等がある場所の濃度基準データが異常な値を示す異常データとなることがある。濃度基準データが異常データである場合、シェーディング補正が正常に行われずに、原稿Ｍを読み取った画像にスジが入るおそれがある。特に濃度基準データのカラーバランスが崩れると、画像が原稿Ｍ自体の色味とは異なる色味で読み取られることになる。画像読取装置１０において、濃度基準データが異常データとなる場合、制御部３０は事前濃度基準データを用いて異常データを適切に補正する。
【００２６】
ここで、図１および図２を参照して、本発明による画像読取装置１０の実施形態における画像読取方法を説明する。図２は、本実施形態の画像読取方法における濃度基準データの設定の一例を示すフローチャートである。本実施形態の画像読取方法では、図２に示すように、ステップＳ１００〜ステップＳ１０６を行うことによって濃度基準データを設定し、その後、設定された濃度基準データに基づいて原稿Ｍの画像を読み取る。なお、上述したように、記憶部４０は、画像読取部２０が濃度基準板５０の読み取りを開始する前から事前濃度基準データ記憶している。
【００２７】
ステップＳ１００：濃度基準データを取得する。画像読取部２０は、濃度基準板５０を読み取ることによって、複数の領域のそれぞれについて複数の色（本実施形態において、Ｒｅｄ、ＧｒｅｅｎおよびＢｌｕｅ）の濃度基準データを取得する。濃度基準データは、濃度基準板５０についた傷またはちりに起因して著しく低下することがあるが、本実施形態では取得した濃度基準データを補正する。なお、濃度基準データは、濃度基準板５０に傷等がなくても、光源２１、光学系２６および／または撮像部２７の経年劣化に起因して、事前濃度基準データと比べて低下することがある。
【００２８】
ステップＳ１０２：制御部３０は、複数の領域のそれぞれにおいて、画像読取部２０によって取得された濃度基準データが異常データであるか否かを判定する。例えば、制御部３０は、閾値を用いて異常データを決定する。制御部３０は、濃度基準データと閾値とを比較して、濃度基準データが閾値を超えて所望な範囲から外れている場合、複数の領域のうちの濃度基準データが閾値を超えている領域と濃度基準データが閾値を超えている領域の前後の所定の領域の濃度基準データを異常データと決定する。あるいは、制御部３０は、濃度基準データの変化量を利用して異常データを特定してもよい。
【００２９】
複数の領域のそれぞれにおいて、濃度基準データのそれぞれが異常データでない場合（ステップＳ１０２：Ｎｏ）、濃度基準データを補正することなく、原稿Ｍを読み取るため濃度基準データの設定が終了する。設定された濃度基準データは、原稿Ｍの読み取りに利用される。一方、いずれかの濃度基準データが異常データである場合（ステップＳ１０２：Ｙｅｓ）、画像読取方法はＳ１０４に進む。
【００３０】
ステップＳ１０４：制御部３０は、複数の領域のうちの少なくとも１つの領域において、複数の色のうちの少なくとも１つの色の濃度基準データが異常データである場合、濃度基準データが異常データである領域において複数の色のうちの濃度基準データが異常データではない色の記憶部４０に記憶されている事前濃度基準データと濃度基準データとの変化率を算出する。例えば、ある領域において、Ｇｒｅｅｎの濃度基準データが異常データであり、ＲｅｄおよびＢｌｕｅの濃度基準データが異常データではない場合、当該領域においてＲｅｄおよび／またはＢｌｕｅの記憶部４０に記憶されている事前濃度基準データと濃度基準データとの変化率を算出する。
【００３１】
ステップＳ１０６：制御部３０は、算出した変化率と、濃度基準データが異常データである色の事前濃度基準データとに基づいて異常データを補正する。例えば、Ｇｒｅｅｎの濃度基準データが異常データであり、ＲｅｄおよびＢｌｕｅの濃度基準データが異常データではない場合、Ｒｅｄおよび／またはＢｌｕｅの変化率とＧｒｅｅｎの事前濃度基準データとに基づいてＧｒｅｅｎの異常データを補正する。以上のように補正された濃度基準データが、原稿Ｍの画像の読み取りに利用される。
【００３２】
ここで、図１から図３を参照して本実施形態の画像読取装置１０による画像読取方法における濃度基準データの設定の一例を説明する。図３（ａ）、図３（ｂ）および図３（ｃ）の横軸は主走査方向に沿った画素領域の位置を示しており、図３（ａ）、図３（ｂ）および図３（ｃ）の縦軸は明るさを示している。
【００３３】
図３（ａ）は、事前濃度基準データＲｉ、Ｇｉ、Ｂｉを示す模式図である。事前濃度基準データＲｉはＲｅｄの事前濃度基準データであり、事前濃度基準データＧｉはＧｒｅｅｎの事前濃度基準データであり、事前濃度基準データＢｉはＢｌｕｅの事前濃度基準データである。画像読取部２０が原稿Ｍの読み取りに利用するために濃度基準板５０の読み取りを行うよりも前から、事前濃度基準データＲｉ、Ｇｉ、Ｂｉは記憶部４０に記憶されている。典型的には、事前濃度基準データＲｉ、Ｇｉ、Ｂｉは、原稿Ｍが画像読取装置１０の原稿台１１に載置されるよりも前（例えば、工場出荷前）に、画像読取部２０が濃度基準板５０を読み取った結果である。ここでは、明るさは、事前濃度基準データＲｉ、Ｇｉ、Ｂｉの順番に大きい。なお、図３（ａ）において、点線Ｌ１および点線Ｌ２は、事前濃度基準データＲｉ、Ｇｉ、Ｂｉのおおよその範囲を表している。
【００３４】
ステップＳ１００：画像読取部２０は、濃度基準板５０を用いて、原稿Ｍの読み取りに利用するための濃度基準データを取得する。典型的には、画像読取部２０は、原稿Ｍを読み取る前に濃度基準データを取得する。画像読取部２０は、濃度基準板５０を読み取り、複数の領域のそれぞれについてＲｅｄ、ＧｒｅｅｎおよびＢｌｕｅの濃度基準データを取得する。
【００３５】
図３（ｂ）は、図２のステップ１００において取得された濃度基準データＲａ、Ｇａ、Ｂａを示す模式図である。濃度基準データＲａはＲｅｄの濃度基準データであり、濃度基準データＧａはＧｒｅｅｎの濃度基準データであり、濃度基準データＢａはＢｌｕｅの濃度基準データである。参考のために、図３（ｂ）には、図３（ａ）に示した事前濃度基準データＲｉ、Ｇｉ、Ｂｉのおおよその範囲を表した点線Ｌ１および点線Ｌ２を示している。
【００３６】
濃度基準データＲａ、Ｇａ、Ｂａは、図３（ａ）に示す事前濃度基準データＲｉ、ＧｉおよびＢｉよりも低下していることが理解できる。典型的には、この低下は、光源２１、光学系２６および／または撮像部２７の経年劣化に起因する。ここでは、図３（ｂ）に示す濃度基準データＲａ、Ｇａ、Ｂａは、図３（ａ）に示した事前濃度基準データＲｉ、Ｇｉ、Ｂｉと比較してそれぞれ５％低下している。また、濃度基準板５０の傷等の影響により、位置Ｐ１から位置Ｐ２までにわたって濃度基準データＧａは、他の位置の濃度基準データＧａと比べて急激に変化している。
【００３７】
ステップＳ１０２：制御部３０は、複数の領域のそれぞれにおいて、画像読取部２０によって取得された濃度基準データＲａ、Ｇａ、Ｂａが異常データであるか否かを判定する。例えば、制御部３０は、濃度基準データＲａ、Ｇａ、Ｂａと閾値とを比較し、濃度基準データＲａ、Ｇａ、Ｂａが閾値を超えて所望な範囲から外れている場合、複数の領域のうちの濃度基準データＲａ、Ｇａ、Ｂａが閾値を超えている領域と濃度基準データＲａ、Ｇａ、Ｂａが閾値を超えている領域の前後の所定の領域の濃度基準データＲａ、Ｇａ、Ｂａを異常データと決定する。あるいは、濃度基準データＲａ、Ｇａ、Ｂａと閾値とを比較して、濃度基準データＲａ、Ｇａ、Ｂａが閾値を超えている場合、複数の色のうちの濃度基準データＲａ、Ｇａ、Ｂａが閾値を超えている色の濃度基準データの変化量に基づいて異常データを特定する。典型的には、複数の濃度基準データＲａ、Ｇａ、Ｂａのうちの所定の連続した領域が異常データと判定される。
【００３８】
複数の領域のそれぞれにおいて、濃度基準データＲａ、Ｇａ、Ｂａのそれぞれが異常データでない場合（ステップＳ１０２：Ｎｏ）、濃度基準データを補正せずに、原稿Ｍを読み取るため濃度基準データの設定が終了する。設定された濃度基準データは、原稿Ｍの読み取りに利用される。一方、濃度基準データＲａ、Ｇａ、Ｂａが異常データである場合（ステップＳ１０２：Ｙｅｓ）、画像読取方法はＳ１０４に進む。
【００３９】
図３（ｂ）には、Ｇｒｅｅｎに対応する濃度基準データの下限の閾値ＴＧａが示される。閾値ＴＧａはＧｒｅｅｎに対応する濃度基準データの下限の値である。煩雑になるのを避けるために図３（ｂ）には図示していないが、Ｒｅｄに対応する閾値ＴＲａとＢｌｕｅに対応する閾値ＴＢａとが設定されている。Ｒｅｄ、ＧｒｅｅｎおよびＢｌｕｅの閾値はそれぞれ異なってもよい。また、ここでは閾値は下限値のみを用いているが、さらに上限の閾値を用いてもよい。
【００４０】
例えば制御部３０は、濃度基準データＲａ、Ｇａ、Ｂａを閾値ＴＲａ、ＴＧａ、ＴＢａとそれぞれ比較して、濃度基準データが異常データであるか否かを判定する。例えば、制御部３０は、濃度基準データが閾値以下となる領域の濃度基準データ、および、それらの領域から前後５０画素の領域の濃度基準データを異常データと判定する。一例として、画素領域の位置１０００〜１１００で濃度基準データが閾値以下となる場合、制御部３０は、画素領域の位置９５０〜１１５０の濃度基準データを異常データと判定する。図３（ｂ）において、濃度基準データＲａおよび濃度基準データＢａのすべては異常データではない一方で、濃度基準データＧａの一部は異常データである。濃度基準データＧａが異常データである（ステップＳ１０２：Ｙｅｓ）ので、ここでは、画像読取方法は、Ｓ１０４に進む。
【００４１】
あるいは、制御部３０は、濃度基準データＧａの変化量に基づいて異常データを特定する。濃度基準データの変化量をみた場合、位置Ｐ１から位置Ｐ２までの濃度基準データＧａの変化量は他の領域よりも大きい。制御部３０は、変化量が大きい位置Ｐ１から位置Ｐ２の濃度基準データを異常データと特定する。
【００４２】
ステップＳ１０４：事前濃度基準データと濃度基準データとの変化率を算出する。上述したように、Ｇｒｅｅｎの領域Ｐ１から領域Ｐ２にわたる濃度基準データは異常データであり、Ｇｒｅｅｎの他の領域の濃度基準データ、ならびに、ＲｅｄおよびＢｌｕｅのすべての濃度基準データが異常データではない場合、制御部３０は領域Ｐ１から領域Ｐ２までのそれぞれにおいてＲｅｄおよび／またはＢｌｕｅの記憶部４０に記憶されている事前濃度基準データと濃度基準データとの変化率を算出する。
【００４３】
図３（ａ）および図３（ｂ）を参照して、ステップＳ１０４について具体的に説明する。制御部３０は、特定された位置Ｐ１から位置Ｐ２までにおいて、事前濃度基準データＲｉと濃度基準データＲｂとの変化率Ｒａ／Ｒｉ、および、事前濃度基準データＢｉと濃度基準データＢａとの変化率Ｂａ／Ｂｉとを求める。ここでは、例えば、変化率Ｒａ／Ｒｉおよび変化率Ｂａ／Ｂｉは０．９５である。
【００４４】
なお、ある色の濃度基準データが異常データとなる領域において、異常データを含まない色が複数ある場合は、制御部３０は、複数の色の事前濃度基準データと濃度基準データとの変化率の平均を算出してもよい。例えば、変化率Ｒａ／Ｒｉが０．９６であり、変化率Ｂａ／Ｂｉが０．９７である場合、制御部３０は、変化率Ｒａ／Ｒｉと変化率Ｂａ／Ｂｉの平均値（０．９６＋０．９７）／２＝０．９６５を算出する。
【００４５】
ステップＳ１０６：制御部３０は、算出した変化率と、複数の色のうちの濃度基準データが異常データとなる色の事前濃度基準データとに基づいて異常データを補正する。例えば、制御部３０は、位置Ｐ１から位置Ｐ２までにわたって、事前濃度基準データＧｉに変化率Ｒａ／Ｒｉを乗算した値に異常データを補正する。変化率は変化率Ｂａ／Ｂｉであってもよいし、変化率Ｒａ／Ｒｉと変化率Ｂａ／Ｂｉとの平均値であってもよい。このように複数の色のうちの濃度基準データが異常データとなる色の事前濃度基準データＧｉと異常データを含まない色の変化率（Ｒａ／Ｒｉおよび／またはＢａ／Ｂｉ）とを乗算することによって、異常データを相対的に補正する。その結果、異常データが補正される。
【００４６】
図３（ｃ）は、補正後の濃度基準データＲｂ、ＧｂおよびＢｂを示す模式図である。補正後の濃度基準データＲｂはＲｅｄの補正後の濃度基準データであり、補正後の濃度基準データＧｂはＧｒｅｅｎの補正後の濃度基準データであり、補正後の濃度基準データＢｂはＢｌｕｅの補正後の濃度基準データである。上述したように、濃度基準データＲａ、Ｂａのすべては異常データではないため、補正処理が行われない。そのため、補正後の濃度基準データＲｂ、Ｂｂは補正前の濃度基準データＲａ、Ｂａと同一である。一方、濃度基準データＧａは、一部に異常データが含まれているため、補正処理が行われる。そのため、補正後の濃度基準データＧｂは補正前の濃度基準データＧａとは異なる。具体的には、補正後の領域Ｐ１から領域Ｐ２の濃度基準データＧｂは、補正前の領域Ｐ１から領域Ｐ２の濃度基準データＧａと異なる一方で、他の領域では、補正前の濃度基準データＧａと同一である。
【００４７】
以上、図１から図３を参照して説明したように、画像読取装置１０において、制御部３０は、画像読取部２０によって取得された複数の色の濃度基準データが異常データであるか否かを判定する。複数の色のうちの少なくとも１つの色の濃度基準データが異常データである場合、制御部３０は、濃度基準データが異常データとなる領域において複数の色のうちの異常データを含まない色の記憶部４０に記憶されている事前濃度基準データと濃度基準データとの変化率を算出する。制御部３０は、算出した変化率と濃度基準データが異常となる色の事前濃度基準データとに基づいて異常データを補正する。したがって、画像読取装置１０では、光源２１、光学系２６および／または撮像部２７の経年劣化の影響で濃度基準データが全体的に低下したとしても、濃度基準データの変動に合わせた補正をすることができるため、経年劣化の影響を低減させた濃度基準データを設定することができる。
【００４８】
以下に、図１および図４を参照して本発明による画像読取装置１０の他の実施形態における画像読取方法を説明する。図４は、本発明の実施形態に係る画像読取装置１０の画像読取方法を示すフローチャートである。本実施形態の画像読取方法では、図４に示すように、ステップＳ２００〜ステップＳ２１０を行うことによって濃度基準データを設定し、その後、設定された濃度基準データを用いて、原稿Ｍの画像を読み取る。なお、上述したように、記憶部４０は、画像読取部２０が濃度基準板５０の読み取りを開始する前から事前濃度基準データを予め記憶している。図２に示されたフローチャートを参照して上述した説明と重複する内容については詳細な説明を省略する。
【００４９】
ステップＳ２００：濃度基準データを取得する（図２に示されたＳ１００に対応）。画像読取部２０は、濃度基準板５０を読み取ることによって、複数の領域のそれぞれについて複数の色（本実施形態において、Ｒｅｄ、ＧｒｅｅｎおよびＢｌｕｅ）の濃度基準データを取得する。
【００５０】
ステップＳ２０２：制御部３０は、複数の領域のそれぞれにおいて、画像読取部２０によって取得された濃度基準データが異常データであるか否かを判定する（図２に示されたＳ１０２に対応）。
【００５１】
複数の領域のそれぞれにおいて、濃度基準データのそれぞれが異常データでない場合（ステップＳ２０２：Ｎｏ）、濃度基準データを補正することなく原稿Ｍを読み取るため濃度基準データの設定が終了する。設定された濃度基準データは、原稿Ｍの読み取りに利用される。一方、いずれかの濃度基準データが異常データである場合（ステップＳ２０２：Ｙｅｓ）、画像読取方法はＳ２０４に進む。
【００５２】
ステップＳ２０４：制御部３０は、異常データを事前濃度基準データで置換する。
【００５３】
ステップＳ２０６：制御部３０は、置換された濃度基準データが正常か否かを判定する。例えば、制御部３０は、閾値を用いて置換された濃度基準データが正常か否かを判定する。制御部３０は、置換された濃度基準データと閾値とを比較して、置換された濃度基準データが閾値を超えて所望な範囲から外れている場合、置換された濃度基準データが正常でないと判定する。あるいは、制御部３０は、濃度基準データの置換された領域における濃度基準データの明るさの順番が、異常データを含まない領域の濃度基準データの明るさの順番と異なる場合、置換された濃度基準データが正常でないと判定する。
【００５４】
置換された濃度基準データが正常である場合（ステップＳ２０６：Ｙｅｓ）、濃度基準データに、変化率に基づいた補正をすることなく、原稿Ｍを読み取るため濃度基準データの設定が終了する。一方、置換データが正常でない場合（ステップＳ２０６：Ｎｏ）、画像読取方法はＳ２０８に進む。
【００５５】
ステップＳ２０８：濃度基準データが異常データである領域において複数の色のうちの濃度基準データが異常データではない色の記憶部４０に記憶されている事前濃度基準データと濃度基準データとの変化率を算出する（図２に示されたＳ１０４に対応）。
【００５６】
ステップＳ２１０：制御部３０は、算出した変化率と、濃度基準データが異常データである色の事前濃度基準データとに基づいて異常データを補正する。（図２に示されたＳ１０６に対応）。以上のように補正された濃度基準データが、原稿Ｍの画像の読み取りに利用される。
【００５７】
ここで、図１、図４および図５を参照して本実施形態の画像読取装置１０による画像読取方法における濃度基準データの設定の一例を説明する。図５（ａ）、図５（ｂ）および図５（ｃ）の横軸は主走査方向に沿った画素領域の位置を示しており、図５（ａ）、図５（ｂ）および図５（ｃ）の縦軸は明るさを示している。図２および図３を用いた説明と重複する内容については詳細な説明を省略する。
【００５８】
図５（ａ）は、事前濃度基準データＲｉ、Ｇｉ、Ｂｉを示す模式図である。ＲｉはＲｅｄの事前濃度基準データであり、ＧｉはＧｒｅｅｎの事前濃度基準データであり、ＢｉはＢｌｕｅの事前濃度基準データである。
【００５９】
ステップＳ２００：画像読取部２０は、濃度基準板５０を用いて、原稿Ｍの読み取りに利用するための濃度基準データを取得する（図２に示されたＳ１００に対応）。
【００６０】
図５（ｂ）は、図４のステップ２００において取得された濃度基準データＲａ、Ｇａ、Ｂａを示す模式図である。ＲａはＲｅｄの濃度基準データであり、ＧａはＧｒｅｅｎの濃度基準データであり、ＢａはＢｌｕｅの濃度基準データである。参考のために、図５（ｂ）には、図５（ａ）に示した事前濃度基準データＲｉ、Ｇｉ、Ｂｉのおおよその範囲を表した点線Ｌ１および点線Ｌ２を示している。
【００６１】
濃度基準データＲａ、Ｇａ、Ｂａは、図５（ａ）に示す事前濃度基準データＲｉ、ＧｉおよびＢｉよりも少し低下していることが理解できる。典型的には、この低下は、光源２１、光学系２６および／または撮像部２７の経年劣化に起因する。また、濃度基準板５０の傷等の影響により、位置Ｐ１から位置Ｐ２までの濃度基準データＧａは、他の位置の濃度基準データＧａと比べて急激に変化している。
【００６２】
ステップＳ２０２：制御部３０は、複数の領域のそれぞれにおいて、画像読取部２０によって取得された濃度基準データＲａ、Ｇａ、Ｂａが異常データであるか否かを判定する（図２に示されたＳ１０２に対応）。
【００６３】
複数の領域のそれぞれにおいて、濃度基準データＲａ、Ｇａ、Ｂａのそれぞれが異常データでない場合（ステップＳ２０２：Ｎｏ）、濃度基準データを補正せずに、原稿Ｍを読み取る際の濃度基準データの設定が終了する。設定された濃度基準データは、原稿Ｍの読み取りに利用される。一方、濃度基準データＲａ、Ｇａ、Ｂａが異常データである場合（ステップＳ２０２：Ｙｅｓ）、画像読取方法はＳ２０４に進む。
【００６４】
制御部３０は、濃度基準データＲａ、Ｇａ、Ｂａを閾値ＴＲａ、ＴＧａ、ＴＢａとそれぞれ比較して、濃度基準データが異常データであるか否かを判定する。図５（ｂ）において、濃度基準データＲａおよび濃度基準データＢａのすべては異常データではない一方で、濃度基準データＧａの一部は異常データである。濃度基準データＧａが異常データである（ステップＳ２０２：Ｙｅｓ）ので、画像読取方法は、Ｓ２０４に進む。
【００６５】
ステップＳ２０４：制御部３０は、異常データを事前濃度基準データで置換する。ここでは、制御部３０は、位置Ｐ１から位置Ｐ２まで、濃度基準データＧａを事前濃度基準データＧｉで置換する。その結果、図５（ｃ）に示すように濃度基準データＧｃに置換される。
【００６６】
図５（ｃ）は、補正後の濃度基準データＲｃ、ＧｃおよびＢｃを示す模式図である。補正後の濃度基準データＲｃはＲｅｄの補正後の濃度基準データであり、補正後の濃度基準データＧｃはＧｒｅｅｎの補正後の濃度基準データであり、補正後の濃度基準データＢｃはＢｌｕｅの補正後の濃度基準データである。
【００６７】
ステップＳ２０６：制御部３０は、置換された濃度基準データが正常か否かを判定する。ここでは、制御部３０は、位置Ｐ１から位置Ｐ２までにおいて、補正後の濃度基準値が、Ｒｃ＞Ｇｃ＞Ｂｃを満たすか否かを判定する。図５（ｃ）ではＲｃ＞Ｇｃ＞Ｂｃを満たすので、制御部３０は、置換された濃度基準データが正常であると判定する（ステップＳ２０６：Ｙｅｓ）。このように複数の色のうちの濃度基準データが異常データとなる色の濃度基準データＧａと異常データとなる色の事前濃度基準データＧｉに置換することによって、異常データを補正する。
【００６８】
上述したように、濃度基準データＲａ、Ｂａのすべては異常データではないため、補正処理が行われない。そのため、補正後の濃度基準データＲｃ、Ｂｃは、補正前の濃度基準データＲａ、Ｂａと同一である。一方、濃度基準データＧｃは、一部に異常データが含まれているため、補正処理が行われる。そのため、補正後の濃度基準データＧｃは、補正前の濃度基準データＧａとは異なる。具体的には、補正後の領域Ｐ１から領域Ｐ２までの濃度基準データＧｃは、補正前の濃度基準データＧａと異なる一方で、他の領域では、補正前の濃度基準データＧｃと同一である。
【００６９】
以上、図１、図４および図５を参照して説明したように、画像読取装置１０において、制御部３０は、少なくとも１つの色の濃度基準データが異常データである場合、異常データを少なくとも１つの色の事前濃度基準データで置換する。変化率に基づく補正をする前に上記置換を行うことにより、経年劣化による事前濃度基準データに対して濃度基準データの低下が比較的少ない場合に、上記置換のみで濃度基準データを補正することができるので、濃度基準データ補正工程の処理時間を短くすることができる。
【００７０】
以下、図１および図６を参照して本発明による画像読取装置１０の他の実施形態における画像読取方法を説明する。図６は、本発明の実施形態に係る画像読取装置１０の画像読取方法を示すフローチャートである。本実施形態の画像読取方法では、図６に示すように、ステップＳ３００〜ステップＳ３１０を行うことによって補正された濃度基準データを取得し、その後、この濃度基準データを用いて、原稿Ｍの画像の読み取り動作を行う。なお、上述したように、記憶部４０は、画像読取部２０が濃度基準板５０の読み取りを開始する前から事前濃度基準データを予め記憶している。図２および図４に示されたフローチャートを用いた説明と重複する内容については詳細な説明を省略する。
【００７１】
ステップＳ３００：濃度基準データを取得する（図２に示されたＳ１００に対応）。画像読取部２０は、濃度基準板５０を読み取ることによって、複数の領域のそれぞれについて複数の色（本実施形態において、Ｒｅｄ、ＧｒｅｅｎおよびＢｌｕｅ）の濃度基準データを取得する。
【００７２】
ステップＳ３０２：制御部３０は、複数の領域のそれぞれにおいて、画像読取部２０によって取得された濃度基準データが異常データであるか否かを判定する（図２に示されたＳ１０２に対応）。
【００７３】
ステップＳ３０４：制御部３０は、濃度基準データが異常データである領域において複数の色のすべての濃度基準データが異常データであるか否かを判定する。少なくとも１つの領域において複数の色のすべての濃度基準データが異常データであると判定された場合（ステップＳ３０４：Ｙｅｓ）、画像読取方法はＳ３１０に進む。少なくとも１つの領域において複数の色のすべての濃度基準データが異常データで無いと判定された場合（ステップＳ３０４：Ｎｏ）、画像読取方法はＳ３０６に進む。
【００７４】
ステップＳ３０６：複数の色のすべての濃度基準データが異常データで無いと判定された場合（ステップＳ３０４：Ｎｏ）、濃度基準データが異常データである領域において複数の色のうちの濃度基準データが異常データではない色の記憶部４０に記憶されている事前濃度基準データと濃度基準データとの変化率を算出する（図２に示されたＳ１０４に対応）。
【００７５】
ステップＳ３０８：制御部３０は、算出した変化率と、濃度基準データが異常データである色の事前濃度基準データとに基づいて異常データを補正する（図２に示されたＳ１０６に対応）。
【００７６】
ステップＳ３１０：ステップ３０４において、濃度基準データが異常データである領域において複数の色のすべての濃度基準データが異常データであると判定された場合（ステップＳ３０４：Ｙｅｓ）、複数の色のそれぞれについて異常データを事前濃度基準データで置換する（図４に示されたＳ２０４に対応）。
【００７７】
以上のようにして、補正された濃度基準データが設定される。上述したように、設定された濃度基準データは、原稿Ｍの画像の読み取りに利用される。
【００７８】
ここで、図１、図６および図７を参照して本実施形態の画像読取装置１０による画像読取方法における濃度基準データの設定の一例を説明する。図７（ａ）、図７（ｂ）および図７（ｃ）の横軸は主走査方向に沿った画素領域の位置を示しており、図７（ａ）、図７（ｂ）および図７（ｃ）の縦軸は明るさを示している。図２〜図５を用いた説明と重複する内容については詳細な説明を省略する。
【００７９】
図７（ａ）は、事前濃度基準データＲｉ、Ｇｉ、Ｂｉを示す模式図である。事前濃度基準データＲｉはＲｅｄの事前濃度基準データであり、事前濃度基準データＧｉはＧｒｅｅｎの事前濃度基準データであり、事前濃度基準データＢｉはＢｌｕｅの事前濃度基準データである。
【００８０】
ステップＳ３００：画像読取部２０は、濃度基準板５０を用いて、原稿Ｍの読み取りに利用するための濃度基準データを取得する（図２に示されたＳ１００に対応）。
【００８１】
図７（ｂ）は、図６のステップ３００において取得された濃度基準データＲａ、Ｇａ、Ｂａを示す模式図である。濃度基準データＲａはＲｅｄの濃度基準データであり、濃度基準データＧａはＧｒｅｅｎの濃度基準データであり、濃度基準データＢａはＢｌｕｅの濃度基準データである。参考のために、図７（ｂ）には、図７（ａ）に示した事前濃度基準データＲｉ、Ｇｉ、Ｂｉのおおよその範囲を表した点線Ｌ１および点線Ｌ２を示している。
【００８２】
点線Ｌ１および点線Ｌ２から、濃度基準データＲａ、Ｇａ、Ｂａは、図５（ａ）に示す事前濃度基準データＲｉ、ＧｉおよびＢｉよりも低下していることがわかる。典型的には、この低下は、光源２１、光学系２６および／または撮像部２７の経年劣化に起因する。ここでは、図３（ａ）および図３（ｂ）と同様に図７（ｂ）に示す濃度基準データＲａ、Ｇａ、Ｂａは、図７（ａ）に示した事前濃度基準データＲｉ、Ｇｉ、Ｂｉと比較してそれぞれ５％低下している。また、濃度基準板５０の傷等の影響により、位置Ｐ１から位置Ｐ２までの全ての色の濃度基準データＲａ、Ｇａ、Ｂａは、他の位置の濃度基準データＧａと比べて急激に変化している。
【００８３】
ステップＳ３０２：制御部３０は、複数の領域のそれぞれにおいて、画像読取部２０によって取得された濃度基準データＲａ、Ｇａ、Ｂａが異常データであるか否かを判定する（図２に示されたＳ１０２に対応）。
【００８４】
複数の領域のそれぞれにおいて、濃度基準データＲａ、Ｇａ、Ｂａのそれぞれが異常データでない場合（ステップＳ３０２：Ｎｏ）、濃度基準データを補正することなく、原稿Ｍを読み取るための濃度基準データの設定が終了する。設定された濃度基準データは、原稿Ｍの読み取りに利用される。一方、濃度基準データＲａ、Ｇａ、Ｂａが異常データである場合（ステップＳ３０２：Ｙｅｓ）、画像読取方法はＳ３０４に進む。
【００８５】
制御部３０は、濃度基準データＲａ、Ｇａ、Ｂａを閾値ＴＲａ、ＴＧａ、ＴＢａとそれぞれ比較して、濃度基準データが異常データであるか否かを判定する。図７（ｂ）において、濃度基準データＲａ、ＧａおよびＢａの一部は異常データである。濃度基準データＲａ、ＧａおよびＢａが異常データである（ステップＳ３０２：Ｙｅｓ）ので、ここでは、画像読取方法は、Ｓ３０４に進む。
【００８６】
ステップＳ３０４：制御部３０は、濃度基準データが異常データである領域において複数の色のすべての濃度基準データが異常データであるか否かを判定する。ここでは、位置Ｐ１から位置Ｐ２までにおいて、Ｒｅｄ、ＧｒｅｅｎおよびＢｌｕｅ全ての色の濃度基準データが異常データである。したがって、制御部３０は、少なくとも１つの領域において複数の色のすべての濃度基準データが異常データであると判定する（ステップＳ３０４：Ｙｅｓ）。ここでは、画像読取方法は、Ｓ３１０に進む。
【００８７】
図７（ｃ）は、補正後の濃度基準データＲｄ、ＧｄおよびＢｄを示す模式図である。補正後の濃度基準データＲｄはＲｅｄの補正後の濃度基準データであり、補正後の濃度基準データＧｄはＧｒｅｅｎの補正後の濃度基準データであり、補正後の濃度基準データＢｄはＢｌｕｅの補正後の濃度基準データである。
【００８８】
ステップＳ３１０：制御部３０は、異常データを事前濃度基準データで置換する。ここでは、制御部３０は、位置Ｐ１から位置Ｐ２までの濃度基準データＧａを事前濃度基準データＧｉで置換する。その結果、図７（ｃ）に示すように濃度基準データＲｄ、Ｇｄ、Ｂｄに置換される。
【００８９】
上述したように、濃度基準データＲａ、Ｇａ、Ｂａの一部が異常データであるため、補正後の濃度基準データＧｄは、補正前の濃度基準データＲａ、Ｇａ、Ｂａとは異なる。具体的には、補正後の濃度基準データＲｄ、Ｇｄ、Ｂｄは、領域Ｐ１から領域Ｐ２までにわたって補正前の濃度基準データＲａ、Ｇａ、Ｂａと異なる。しかしながら、領域Ｐ１から領域Ｐ２の濃度基準データＲｄ、Ｇｄ、Ｂｄの明るさの順番は、異常データを含まない領域の濃度基準データの明るさの順番と同じである。
【００９０】
以上、図１、図６および図７を参照して説明したように、画像読取装置１０において、制御部３０は、少なくとも１つの領域において複数の色のすべての濃度基準データが異常データである場合、複数の色のそれぞれについて異常データを事前濃度基準データで置換する。したがって、ある領域で複数の色のすべての濃度基準データが異常データである場合でも、他の異常データを含まない領域の濃度基準データの明るさの順番と同じに補正されるため、カラーバランスが崩れる現象を低減することができる。
【００９１】
なお、制御部３０は、濃度基準データが異常データである場合、異常データの存在を示すデータを記憶部４０に記憶させるようにしてもよい。異常データの存在を示すデータを記憶部４０に記憶させることにより、サービスマンがメンテナンスに訪れたときに異常データが存在したことを知ることができるため、濃度基準板の傷の修復をすることができる。
【００９２】
図８は、本発明の実施形態に係る画像形成装置１００を示す模式図である。以下、本実施形態において画像形成装置１００は複写機である。画像形成装置１００は、画像読取装置１０と印刷部６０とを備える。印刷部６０は、定着装置１１０、給紙カセット１２０、作像部１３０、トナー補給装置１４０、用紙排出部１５０および用紙搬送部１６０を有している。印刷部６０は、画像読取装置１０で原稿から読み取ったデータに基づいて印刷を行う。
【００９３】
給紙カセット１２０には、印刷用の用紙Ｐが収容されている。複写を行う際、給紙カセット１２０内の用紙Ｐは、作像部１３０と定着装置１１０とを経由して用紙排出部１５０から排出されるように、用紙搬送部１６０によって搬送される。
【００９４】
作像部１３０では、トナー像を用紙Ｐに形成する。作像部１３０には、感光体１３１と現像装置１３２と転写装置１３３とが含まれている。
【００９５】
感光体１３１には、画像読取装置１０で生成された原稿画像の電子信号に基づいたレーザーによって静電潜像が形成される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００９６】
転写装置１３３は、感光体１３１に形成されたトナー像を用紙Ｐに転写する。
【００９７】
定着装置１１０では、定着部材１１１と加圧部材１１２によって用紙Ｐを加熱及び加圧することで、作像部１３０において形成された未定着のトナー像を溶融させて用紙Ｐに定着させる。
【００９８】
なお、画像読取装置１０は、撮像部２７がＣＣＤセンサーである構成であったが、撮像部２７にＣＭＯＳイメージセンサーを用いるＣＩＳ（Ｃｏｎｔａｃｔ  Ｉｍａｇｅ  Ｓｅｎｓｏｒ）方式の構成を取り得る。
【００９９】
また、画像読取装置１０の濃度基準板５０は白基準板であったが、他の色の基準板であってもよい。例えば、濃度基準板５０は黒基準板であってもよい。
【０１００】
また、画像読取装置１０が読み取る原稿Ｍは、紙に限定されない。例えば、布や厚みのある立体物でもあり得る。
【０１０１】
また、画像形成装置１００は、複写機に限定されない。複写機、プリンター、ファクシミリ又はこれらの機能を兼ね備えた複合機であり得る。
【産業上の利用可能性】
【０１０２】
本発明係る画像読取装置は、シェーディング補正機能を備えた画像読取装置に好適に用いられる。
【符号の説明】
【０１０３】
Ｍ          原稿
Ｐ          用紙
Ｙ          副走査方向
１０        画像読取装置
１１        原稿台
２０        画像読取部
２３ａ      第１キャリッジ
２３ｂ      第２キャリッジ
２４ａ、２４ｂ、２４ｃ  反射ミラー
２５        レンズ
２６        光学系
２７        撮像部
３０        制御部
４０        記憶部
５０        濃度基準板
６０        印刷部
１００      画像形成装置
１１０      定着装置
１１１      定着部材
１１２      加圧部材
１２０      給紙カセット
１３０      作像部
１３１      感光体
１３２      現像装置
１３３      転写装置
１４０      トナー補給装置
１５０      用紙排出部
１６０      用紙搬送部
【図１】
2014236229.tif 000003
【図２】
2014236229.tif 000004
【図３】
2014236229.tif 000005
【図４】
2014236229.tif 000006
【図５】
2014236229.tif 000007
【図６】
2014236229.tif 000008
【図７】
2014236229.tif 000009
【図８】
2014236229.tif 000010